(57)【要約】【課題】  従来の線形スライドローラーベアリングユニット用スライダーユニットのガイド溝の加工が容易でなく別に保持器を取り付ける必要があった欠点を解決すること。【解決手段】  第１スライダー本体と第２スライダー本体が組み合わされてなるスライダーを具え、第２スライダー本体が第１スライダー本体内に収容され、第２スライダー本体にレールが挿通され、該第２スライダー本体と第１スライダー本体の両側接触面に複数の凹溝が設けられ、第２スライダー本体の該複数の凹溝に対応する対応側面に、別に複数の凹溝が設けられ、接触面と対応側面の凹溝の両側上端に凹溝中心に向けて延伸された保持部が設けられたことを特徴とする。【選択図】        図１０
2007085497.tif 000002
【特許請求の範囲】
【請求項１】
第１スライダー本体と第２スライダー本体が組み合わされてなるスライダーを具え、第２スライダー本体が第１スライダー本体内に収容され、第２スライダー本体にレールが挿通され、
該第２スライダー本体と第１スライダー本体の両側接触面に複数の凹溝が設けられ、第２スライダー本体の該複数の凹溝に対応する対応側面に、別に複数の凹溝が設けられ、接触面と対応側面の凹溝の両側上端に凹溝中心に向けて延伸された保持部が設けられたことを特徴とする、線形スライドローラーベアリングユニット用スライダーユニット。
【請求項２】
請求項１記載の線形スライドローラーベアリングユニット用スライダーユニットにおいて、各対応する凹溝が傾斜状の対応状態を呈することを特徴とする、線形スライドローラーベアリングユニット用スライダーユニット。
【請求項３】
請求項２記載の線形スライドローラーベアリングユニット用スライダーユニットにおいて、第１スライダー本体と第２スライダー本体の凹溝の対応側面が平行な傾斜面に形成されたことを特徴とする、線形スライドローラーベアリングユニット用スライダーユニット。
【請求項４】
請求項２記載の線形スライドローラーベアリングユニット用スライダーユニットにおいて、レールと第２スライダー本体の凹溝の対応側面が平行な傾斜面に形成されたことを特徴とする、線形スライドローラーベアリングユニット用スライダーユニット。
【請求項５】
請求項２記載の線形スライドローラーベアリングユニット用スライダーユニットにおいて、第２スライダー本体の、各傾斜凹溝に対応する対応側面に別に二つの凹溝が設けられ、各凹溝の両側上端に凹溝中心に向けて延伸された保持部が設けられ、第１スライダー本体と第２スライダー本体の凹溝の対応側面が平行な傾斜面とされ、レールと第２スライダー本体の凹溝の対応側面が平行な傾斜面とされたことを特徴とする、線形スライドローラーベアリングユニット用スライダーユニット。
【請求項６】
請求項１又は請求項５記載の線形スライドローラーベアリングユニット用スライダーユニットにおいて、保持部が鷹嘴状を呈することを特徴とする、線形スライドローラーベアリングユニット用スライダーユニット。
【請求項７】
請求項５記載の線形スライドローラーベアリングユニット用スライダーユニットにおいて、第２スライダー本体と第１スライダー本体の組合せ固定後に、その両側端面に回流板とエンドキャップが順に取り付けられ、
第２スライダー本体の両側端面の両側に内ガイドブロックが設けられ、各内ガイドブロックの両端が第２スライダー本体の二つの対応する凹溝と接続され、
各回流板に第２スライダー本体の各内ガイドブロックに対応して内ガイド溝が形成され、各内ガイド溝の交錯方向に別に外ガイドブロックが設けられ、内ガイドブロックと内ガイド溝間にローラーに無限循環回転を提供するガイド溝が形成され、
各エンドキャップに各回流板の外ガイドブロックに対応して外ガイド溝が設けられ、外ガイドブロックと外ガイド溝間にローラーに無限循環回転を提供するガイド溝が形成されたことを特徴とする、線形スライドローラーベアリングユニット用スライダーユニット。
【発明の詳細な説明】
【技術分野】
【０００１】
本発明は線形スライドローラーベアリングユニット用スライダーユニットに係り、このスライダーユニットにレールが通され、スライダー中及びスライダーとレール間に位置するローラーを無限の循環回転可能とし、スライダーが線形移動する時に平穏に順調に行えるようにする。それは二つの本体が組み合わされ、二つの本体の横向き両側及びそのうち一方の本体の縦向きが開口状を呈し、そのうち一方の本体がもう一方の本体に収容されて、内側の本体の一側が外界に貫通し、該内側の本体にレールが挿通され、内側の本体と外側の本体の両接触側面に複数の傾斜凹溝が設けられ、この複数の傾斜凹溝に対応する内側の本体の対応する両側面にも複数の対応する凹溝が設けられ、各凹溝の両側上端に僅かに凹溝中心に向けて延伸された保持部が設けられている。上述の本体の各凹溝は開放状を呈し、一般のミリング技術により完成し、凹溝両側の保持部の設置により、ローラーが保持器の取り付け不要とされ、大幅にスライダーの加工技術レベルを下げ、並びにスライダーの加工及び組立効率を高める。
【背景技術】
【０００２】
線形スライドローラーベアリングユニットは重要な機械部品であり、現在広く精密機械、自動化産業、半導体産業、医療設備、航空工業等に応用され、主要な機能はボール或いはローラーの回転を応用することで機構移動時の摩擦抵抗を低減し、機構移動を楽に行えるようにし、且つエネルギー資源を節約し、摩擦を減らすことで、接触面の摩損と温度上昇を減らし、機構の精度と寿命を向上し、並びに機構の移動速度リミットを大幅に改善することにあり、これにより線形スライドローラーベアリングユニットは重要な機械伝動装置となっている。通常、線形スライドローラーベアリングユニットは二種類に分けられ、その一つはボール伝動を使用したもので、線形ボールベアリングユニットと称され、もう一つはローラー伝動を使用したもので、線形ローラーベアリングユニットと称される。ボール或いはローラーベアリングユニットのいずれであっても、そのスライダー（ｓｌｉｄｅｒ）は回転部品（ボール或いはローラー）の載置及び循環回流等の機能を具備する必要があり、このため構造上、相当に複雑であり、加工のプロセスも煩瑣で、製造コストがアップする。
【０００３】
図１、２は早期の線形スライドローラーベアリングユニットを示し、それは、滑り溝１４を具えたスライダー１０と滑り溝１４中に挿通されたレール１５を包含し、スライダー１０にローラー１６を載置する機能を具備させるため、滑り溝１４の内壁両側に複数のローラー溝１４１が設けられ、ローラー溝１４１はローラー１６の回転の起動とされ、ローラー溝１４１はローラー１６の側面輪郭に合わせて、レール１５の断面と共同でその間に矩形孔を形成し、ローラー溝１４１は機構の負荷を積載する。ローラー１６を逆方向移動可能として無限循環回転の目的を達成するため、スライダー１０の端面には一側端面よりもう一側端面に貫通する複数の回流孔１１を設置する必要があり、回流孔１１はローラー１６の側面輪郭に合わせて、その断面を矩形孔とする必要がある。上述の各ローラー溝１４１及び回流孔１１の対向する隣辺はローラー１６を取り付けるための保持チェーン１７の通過に供され、それに逃し孔１６と翼形溝１７が設けられて保持チェーン１７の凸縁１７１の通過に供される。周知のこのスライダー１０の各回流孔１１は加工時の困難度とコストが高く、経済効果に符合しない。
【０００４】
図３、４は上述の周知の線形ローラーベアリングユニットを改良したものを示し、それはスライダー１０に設置されていた回流孔と翼形溝の位置に、先にスライダー１０の一側端面よりもう一側端面に貫通する複数の円穿孔１８を形成し、更に矩形回流孔１１、翼形溝１２を具えたプラスチック部品１９をそのなかに挿入し、回流孔１１がローラー１６及び保持チェーン１７の通過を許容するものとされ、翼形溝１２は保持チェーン１７の上凸縁１７１の通過に供される。この第２種の周知の線形スライドローラーベアリングユニットは、回流孔１１と翼形溝１２の加工が容易でない欠点を克服する。しかし、この方式は製造プロセスが煩瑣であり、且つプラスチックの強度は鋼鉄材料に遥かに劣るため、スライダー１０の強度が下がり、使用要求に符合しなくなる。更に、上述の二種類の周知の線形スライドローラーベアリングユニットのスライダーとレールは独立性を具備せず、別々に保存することができず、保存空間とコストを浪費する。
【発明の開示】
【発明が解決しようとする課題】
【０００５】
本発明の主要な目的は、一種の線形スライドローラーベアリングユニット用スライダーユニットを提供することにあり、それは、レールが挿通されるスライダーを二つのスライダー本体を組み合わせてなり、内側のスライダーの両側に数対の傾斜する対応凹溝を設け、各凹溝の両側上端に凹溝内に向けて延伸された保持部を設け、ローラーが該凹溝中に制限されて無限循環回転するものとされ、更に内側のスライダーの各凹溝及びその保持部が一般のミリング技術で完成し、加工後に極めて高い正確度を有し、ローラーを保持器に別に取り付ける必要がなく、大幅にスライダーの加工技術レベルと加工コストを低減でき、並びにスライダーの加工及び組立効率を高められるものとする。
【０００６】
上述の目的を達成するための本発明の設計特徴は以下のとおりである。レールの挿通に供されてレール上をスライドするスライダーが、第１スライダー本体と第２スライダー本体が組み合わされ固定されてなる。該第１スライダー本体は第２スライダー本体の外側に位置する。第２スライダー本体の両側に縦向きの垂直部が形成され、この二つの垂直部が第１スライダー本体と接触し、二つの垂直部の両つの対応側面に両側面を貫通する対応凹溝が形成されている。この複数の相互に対応する凹溝は傾斜状に対応する。各凹溝の両側上端に、凹溝の中心に向けて僅かに延伸された保持部が設けられる。各保持部は鷹嘴状に形成される。第２スライダー本体の複数の対応凹溝が傾斜状に設けられる時、第１スライダー本体とレールの凹溝と対応凹溝の対向側面も平行な斜面に形成される。第２スライダー本体の両側垂直部の各二つの末端に突出する円弧形内ガイドブロックが形成され、各円弧形内ガイドブロックの両端はそのうち二つの対応する凹溝にアラインし、この二つの対応する凹溝間のローラーの循環回転をガイドする。第１スライダー本体と第２スライダー本体の組合せ固定後の両側端面に回流板とエンドカバーが順に取り付けられ、第２スライダー本体の各対応凹溝と第１スライダー本体及びレールの対応接触側面間にローラー回転のガイド溝が形成され、これによりローラーが無限循環回転可能とされる。
【課題を解決するための手段】
【０００７】
請求項１の発明は、第１スライダー本体と第２スライダー本体が組み合わされてなるスライダーを具え、第２スライダー本体が第１スライダー本体内に収容され、第２スライダー本体にレールが挿通され、
該第２スライダー本体と第１スライダー本体の両側接触面に複数の凹溝が設けられ、第２スライダー本体の該複数の凹溝に対応する対応側面に、別に複数の凹溝が設けられ、接触面と対応側面の凹溝の両側上端に凹溝中心に向けて延伸された保持部が設けられたことを特徴とする、線形スライドローラーベアリングユニット用スライダーユニットとしている。
請求項２の発明は、請求項１記載の線形スライドローラーベアリングユニット用スライダーユニットにおいて、各対応する凹溝が傾斜状の対応状態を呈することを特徴とする、線形スライドローラーベアリングユニット用スライダーユニットとしている。
請求項３の発明は、請求項２記載の線形スライドローラーベアリングユニット用スライダーユニットにおいて、第１スライダー本体と第２スライダー本体の凹溝の対応側面が平行な傾斜面に形成されたことを特徴とする、線形スライドローラーベアリングユニット用スライダーユニットとしている。
請求項４の発明は、請求項２記載の線形スライドローラーベアリングユニット用スライダーユニットにおいて、レールと第２スライダー本体の凹溝の対応側面が平行な傾斜面に形成されたことを特徴とする、線形スライドローラーベアリングユニット用スライダーユニットとしている。
請求項５の発明は、請求項２記載の線形スライドローラーベアリングユニット用スライダーユニットにおいて、第２スライダー本体の、各傾斜凹溝に対応する対応側面に別に二つの凹溝が設けられ、各凹溝の両側上端に凹溝中心に向けて延伸された保持部が設けられ、第１スライダー本体と第２スライダー本体の凹溝の対応側面が平行な傾斜面とされ、レールと第２スライダー本体の凹溝の対応側面が平行な傾斜面とされたことを特徴とする、線形スライドローラーベアリングユニット用スライダーユニットとしている。
請求項６の発明は、請求項１又は請求項５記載の線形スライドローラーベアリングユニット用スライダーユニットにおいて、保持部が鷹嘴状を呈することを特徴とする、線形スライドローラーベアリングユニット用スライダーユニットとしている。
請求項７の発明は、請求項５記載の線形スライドローラーベアリングユニット用スライダーユニットにおいて、第２スライダー本体と第１スライダー本体の組合せ固定後に、その両側端面に回流板とエンドキャップが順に取り付けられ、
第２スライダー本体の両側端面の両側に内ガイドブロックが設けられ、各内ガイドブロックの両端が第２スライダー本体の二つの対応する凹溝と接続され、
各回流板に第２スライダー本体の各内ガイドブロックに対応して内ガイド溝が形成され、各内ガイド溝の交錯方向に別に外ガイドブロックが設けられ、内ガイドブロックと内ガイド溝間にローラーに無限循環回転を提供するガイド溝が形成され、
各エンドキャップに各回流板の外ガイドブロックに対応して外ガイド溝が設けられ、外ガイドブロックと外ガイド溝間にローラーに無限循環回転を提供するガイド溝が形成されたことを特徴とする、線形スライドローラーベアリングユニット用スライダーユニットとしている。
【発明の効果】
【０００８】
本発明は確実に以下の長所を具備していることが分かる。
１．本発明は別に保持器を設置する必要がなく、大幅に開発及び組立コストを削減できる。
２．本発明の第２スライダー本体の凹溝と鷹嘴状の保持部の加工は、一般のミリング技術により完成可能で、生産効率を大幅にアップできる。
３．本発明の第２スライダー本体の凹溝及び鷹嘴状保持部は施工が容易であるため、その間の正確度は極めて高く、ローラが凹溝中で回転する時、ローラの側方向スライド或いは脱落の状況が発生しない。
総合すると、本発明は実用性及び進歩性を有し、且つその出願前に頒布された文献に同じ或いは類似のものはなく、新規性を有している。
【発明を実施するための最良の形態】
【０００９】
図５から図９に示されるように、本発明の線形スライドローラーベアリングユニット用スライダーユニットは、第１スライダー本体４０と第２スライダー本体３０を包含し、該第１スライダー本体４０の内部に対外開放された収容溝４１が形成され、該収容溝４１に第２スライダー本体３０が収容され、第１スライダー本体４０と第２スライダー本体３０の間は複数の固定部品４６で組み合わされて一体とされる。
【００１０】
該第１スライダー本体４０の内部は第１スライダー本体４０の横向き両側面及びそのうち一つの縦向き側面に向けて貫通する収容溝４１を具え、該収容溝４１の両側内壁面に二つの離間した傾斜当接面４２、４３、４４、４５が設けられ、同側の二つの当接面４２、４４或いは４３、４５は収容溝４１の中心に向けて漸次拡大状を呈する。
【００１１】
該第２スライダー本体３０の内部は横向き両側面及びそのうち一つの縦向き側面に向けて貫通する滑り溝３１を具え、該第２スライダー本体３０は水平部３８と水平部３８の両末端より縦向きに延伸された垂直部３６、３７を具え、各垂直部３６、３７に２対の傾斜状に対応する凹溝３６１、３６３、３６２、３６４、３７１、３７３、３７２、３７４が形成されている。そのうち、凹溝３６２は第１スライダー本体４０の当接面４２と共同でローラー１６回転に供されるガイド溝を形成し、凹溝３６３は第１スライダー本体４０の当接面４４と共同でローラー１６回転に供されるガイド溝を形成し、凹溝３７１は第１スライダー本体４０の当接面４３と共同でローラー１６回転に供されるガイド溝を形成し、凹溝３７４は第１スライダー本体４０の当接面４５と共同でローラー１６回転に供されるガイド溝を形成する。各凹溝３６１、３６３、３６２、３６４、３７１、３７３、３７２、３７４の両側上端に凹溝中心に向けて僅かに延伸された鷹嘴状の保持部が形成され、各保持部の設置により、各凹溝中に位置するローラー１６が制限されて脱出防止される。該第２スライダー本体３０の各垂直部３６、３７の両側端面にあって、そのうち一つの傾斜対応する凹溝３６１と３６３の間、及び凹溝３７１と３７３の間に、突出する円弧形の内ガイドブロック３２、３３、３４、３５が設けられている。該第２スライダー本体３０と第１スライダー本体４０は一体に組み合わされ、複数の固定部品４６により相互に固定される。
【００１２】
図５、１０、及び図１３に示されるように、本実施例の第１スライダー本体４０と第２スライダー本体３０は一体に組み合わされ固定された後、その両側にそれぞれ回流板５０、７０及びエンドキャップ６０、８０が取り付けられる。各回流板５０、７０は第２スライダー本体３０の滑り溝３１に対応する切欠きを具え、その両側に突出する外ガイドブロック５１、５５、７１、７５が設けられ、各外ガイドブロック５１、５５、７１、７５の背側に内向きに凹み交錯状態を成す内ガイド溝５２、５６、７２、７６が設けられ、各外ガイドブロック５１、５５、７１、７５の隣側底端に切欠き５３、５７、７３、７７及び穿孔５４、５８、７４、７８が設けられ、各内ガイド溝５２、５６、７２、７６は対応する第２スライダー本体３０の内ガイド溝５２、５６、７２、７６の置き入れに供され、両者間にローラー１６の無限循環回転に供されるガイド溝が形成される。各外ガイドブロック５１、５５、７１、７５は、対応するエンドキャップ６０、８０内部の外ガイド溝６１、６２、８１、８２中に置き入れられ、それぞれの対応する外ガイドブロックと外ガイド溝の間にローラー１６の無限循環回転に供されるガイド溝が形成される。図１１、１２も合わせて参照されたい。第２スライダー本体３０の滑り溝３１はレール１５の挿通に供され、該レール１５の両側面の、第２スライダー本体３０の凹溝３６１、３６４、３７２、３７３に対応する部分に、傾斜面１５１、１５２、１５４、１５３が設けられて、その対応する凹溝と平行を無し、且つその間にローラー１６の回転に供されるガイド溝が形成される。凹溝３６１と３６３の間、凹溝３６２と３６４の間、凹溝３７１と３７３の間、凹溝３７２と３７４の間が各回流板５０、７０、エンドキャップ６０、８０間に形成された湾曲ガイド溝と組み合わされて、ローラー１６を無限循環回転させることができる。各凹溝はその二つの保持部の設置により、すべてのローラー１６を凹溝中に制限して脱落不能とし、スライダーに別に保持器を取り付ける不便を免除できる。各凹溝中はいずれも外界と連通し、ゆえに、それは一般のミリング技術により加工を完成できる。また、図１４に示されるように、本発明の別の実施例によると、第２スライダー本体３０のガイドブロック３２、３３、３４、３５の傾斜角度が第１実施例と対をなす方向とされるか、或いは第２スライダー本体３０の各ガイドブロック３２、３３、３４、３５の傾斜角度が相互に平行とされる。
【図面の簡単な説明】
【００１３】
【図１】第１種の周知の線形スライドローラーベアリングユニットの立体分解図である。
【図２】第１種の周知の線形スライドローラーベアリングユニットの断面図である。
【図３】第２種の周知の線形スライドローラーベアリングユニットの立体分解図である。
【図４】第２種の周知の線形スライドローラーベアリングユニットの断面図である。
【図５】本発明の第１種の実施例の立体分解図である。
【図６】本発明の第１種の実施例の立体組合せ図である。
【図７】本発明の第１種の実施例の第１スライダー本体の断面図である。
【図８】本発明の第１種の実施例の第２スライダー本体の断面図である。
【図９】本発明の第１種の実施例の第１スライダー本体と第２スライダー本体の組合せ断面図である。
【図１０】本発明の第１種の実施例のスライダーにレールを結合させた正面断面図である。
【図１１】本発明の第１種の実施例のスライダーにレールを結合させた側面断面図である。
【図１２】本発明の第１種の実施例のスライダーにレールを結合させた側面断面図である。
【図１３】本発明の第１種の実施例の回流板とエンドキャップの取り付けを示す立体分解図である。
【図１４】本発明の第２種の実施例の立体分解図である。
【符号の説明】
【００１４】
１０  スライダー          １１  回流孔          １２  翼形溝
１３  逃し溝              １４  滑り溝          １４１  ローラ溝
１５  レール              １６  ローラ
１５１、１５２、１５４、１５３  傾斜面
１７  保持器              １７１  凸縁            １８  円穿孔
１９  プラスチック部品    ３０  第２スライダー本体
３１  滑り溝              ３２、３３、３４、３５  内案内ブロック
３６  垂直部              ３６１、３６２、３６３、３６４  凹溝
３７  垂直部              ３７１、３７２、３７３、３７４  凹溝
３８  水平部              ４０  第１スライダー本体
４１  収容溝              ４２、４３、４４、４５  当接面
４６  固定部品            ５０  回流板
５１  外ガイド溝ブロック    ５２  内ガイド溝      ５３  切欠き
５４  穿孔                  ５５  外ガイドブロック  ５６  内ガイド溝
５７  切欠き                ５８  穿孔              ６０  エンドキャップ
６１  外ガイド溝            ６２  外ガイド溝        ７０  回流板
７１  外ガイドブロック      ７２  内ガイド溝        ７３  切欠き
７４  穿孔                  ７５  外ガイドブロック  ７６  内ガイド溝
７７  切欠き                ７８  穿孔              ８０  エンドキャップ
８１  外ガイド溝            ８２  外ガイド溝
【図１】
2007085497.tif 000003
【図２】
2007085497.tif 000004
【図３】
2007085497.tif 000005
【図４】
2007085497.tif 000006
【図５】
2007085497.tif 000007
【図６】
2007085497.tif 000008
【図７】
2007085497.tif 000009
【図８】
2007085497.tif 000010
【図９】
2007085497.tif 000011
【図１０】
2007085497.tif 000012
【図１１】
2007085497.tif 000013
【図１２】
2007085497.tif 000014
【図１３】
2007085497.tif 000015
【図１４】
2007085497.tif 000016